(57)【特許請求の範囲】
【請求項１】
右カップ部と、
左カップ部と、
前記右カップ部と直接的に接続され、前記右カップ部の右方に延伸される右基礎部と、
前記左カップ部と直接的に接続され、前記左カップ部の左方に延伸される左基礎部と、
前記右基礎部の右端部および前記左基礎部の左端部に備えられ、前記右基礎部の右端部と前記左基礎部の左端部とを接続する接続構造と、
前記右カップ部の上方に延伸される右肩吊部と、
前記左カップ部の上方に延伸される左肩吊部と、
前記右肩吊部と前記右基礎部とを接続する右背面接続部と、
前記左肩吊部と前記左基礎部とを接続する左背面接続部とを有し、
前記右背面接続部は、前記右基礎部の前記右端部から、前記右端部よりも前記右カップ部側かつ前記右カップ部よりも右方の右方部分までの上縁と重なり、前記右背面接続部の右方の端部が前記右端部に接続され、前記右背面接続部の左方の端部が前記右方部分に接続され、前記右カップ部とは直接的に接続されておらず、
前記左背面接続部は、前記左基礎部の前記左端部から、前記左端部よりも前記左カップ部側かつ前記左カップ部よりも左方の左方部分までの上縁と重なり、前記左背面接続部の左方の端部が前記左端部に接続され、前記左背面接続部の右方の端部が前記左方部分に接続され、前記左カップ部とは直接的に接続されておらず、
前記右背面接続部は、前記右端部と前記右方部分との間において前記右基礎部から独立し、
前記左背面接続部は、前記左端部と前記左方部分との間において前記左基礎部から独立している
女性用カップ付き衣類。
【請求項２】
前記右基礎部は、右カップ部の左方に延伸される左カップ接続部分を有し、
前記左カップ接続部分は、前記右カップ部と前記左カップ部とを接続し、
前記左基礎部は、左カップ部の右方に延伸される右カップ接続部分を有し、
前記右カップ接続部分は、前記左カップ部と前記右カップ部とを接続し、
前記右カップ部および前記左カップ部は、前記左カップ接続部分および前記右カップ接続部分を介して互いに接続され、
前記右カップ接続部分の下縁および前記左カップ接続部分の下縁は、互いに独立している
請求項１に記載の女性用カップ付き衣類。
【請求項３】
前記左カップ接続部分および前記右カップ接続部分は、前記左カップ部の中央縁の上端よりも上方、かつ前記右カップ部の中央縁の上端よりも上方において互いに接続されている
請求項２に記載の女性用カップ付き衣類。
【請求項４】
前記右カップ側の部分は、着用者の正面と対応し、
前記右端部は、着用者の背面中心と対応し、
前記左カップ側の部分は、着用者の正面と対応し、
前記左端部は、着用者の背面中心と対応する
請求項１〜３のいずれか一項に記載の女性用カップ付き衣類。
【発明の詳細な説明】
【技術分野】
【０００１】
本発明は、女性用カップ付き衣類に関する。
【背景技術】
【０００２】
従来の女性用カップ付き衣類として、例えば特許文献１のものが挙げられる。特許文献１の女性用カップ付き衣類は、カップ部、基礎部、および肩紐部を有する。基礎部は、カップ部の側方に延びる。肩紐部は、カップ部の上方に延びる。肩紐部は、カップ部と基礎部とを接続している。この女性用カップ付き衣類は、基礎部および肩紐部により、着用者の身体に対して保持される。基礎部は、着用者の身体を締め付けることにより、着用者の身体に対してカップ部の位置を保持する。肩紐部は、肩にかけられてカップ部と基礎部とを上方から吊り下げることにより、着用者の身体に対してカップ部の位置を保持する。
【先行技術文献】
【特許文献】
【０００３】
【特許文献１】実公平１−４３３６３号公報
【発明の概要】
【発明が解決しようとする課題】
【０００４】
上記女性用カップ付き衣類は、基礎部および肩紐部の着用者の身体に対する締め付けが大きい方が、乳房を保持する力が向上する。一方、基礎部および肩紐部の着用者の身体に対する締め付けが大きいほど、着用者の身体に食い込む。このため、着用者の身体に段差が生じる。このため、着用感および美感が損なわれるおそれがある。
【０００５】
本発明は、以上の背景をもとに創作されたものであり、着用感および美感の低下を抑制できる女性用カップ付き衣類を提供することを目的とする。
【課題を解決するための手段】
【０００６】
（１）本手段は、「右カップ部と、左カップ部と、前記右カップ部と直接的に接続され、前記右カップ部の右方に延伸される右基礎部と、前記左カップ部と直接的に接続され、前記左カップ部の左方に延伸される左基礎部と、前記右基礎部の右端部および前記左基礎部の左端部に備えられ、前記右基礎部の右端部と前記左基礎部の左端部とを接続する接続構造と、前記右カップ部の上方に延伸される右肩吊部と、前記左カップ部の上方に延伸される左肩吊部と、前記右肩吊部と前記右基礎部とを接続する右背面接続部と、前記左肩吊部と前記左基礎部とを接続する左背面接続部とを有し、前記右背面接続部は、前記右基礎部の前記右端部から、前記右端部よりも前記右カップ部側かつ前記右カップ部よりも右方の右方部分までの上縁と重なり、前記右背面接続部の右方の端部が前記右端部に接続され、前記右背面接続部の左方の端部が前記右方部分に接続され、前記右カップ部とは直接的に接続されておらず、前記左背面接続部は、前記左基礎部の前記左端部から、前記左端部よりも前記左カップ部側かつ前記左カップ部よりも左方の左方部分までの上縁と重なり、前記左背面接続部の左方の端部が前記左端部に接続され、前記左背面接続部の右方の端部が前記左方部分に接続され、前記左カップ部とは直接的に接続されておらず、前記右背面接続部は、前記右端部と前記右方部分との間において前記右基礎部から独立し、前記左背面接続部は、前記左端部と前記左方部分との間において前記左基礎部から独立している女性用カップ付き衣類」を含む。
【０００７】
上記女性用カップ付き衣類は、右背面接続部が、右端部から右カップ側の部分までの上縁と重なり、左背面接続部が、左端部から左カップ側の部分までの上縁と重なっている。このため、右基礎部および左基礎部の締め付けにより形成される着用者の段差が右背面接続部および左背面接続部により軽減される。このため、着用感および美感の低下が抑制される。
【０００８】
（２）本手段の一形態は、「前記右基礎部は、右カップ部の左方に延伸される左カップ接続部分を有し、前記左カップ接続部分は、前記右カップ部と前記左カップ部とを接続し、前記左基礎部は、左カップ部の右方に延伸される右カップ接続部分を有し、前記右カップ接続部分は、前記左カップ部と前記右カップ部とを接続し、前記右カップ部および前記左カップ部は、前記左カップ接続部分および前記右カップ接続部分を介して互いに接続され、前記右カップ接続部分の下縁および前記左カップ接続部分の下縁は、互いに独立している女性用カップ付き衣類」を含む。
【０００９】
例えば、着用者の右肩が前方に移動したとき、右基礎部から右カップ部を前方に押し付ける力が生じる。このとき、左カップ部は、左方に押し付けられる力が作用する。着用者の左肩が前方に移動したとき、左基礎部から左カップ部を前方に押し付ける力が生じる。このとき、右カップ部は、右方に押し付けられる力が作用する。このため、カップ部の保持力が低下する。
【００１０】
上記右カップ部および左カップ部は、左カップ接続部分および右カップ接続部分と接続されている。左カップ接続部分の下縁および右カップ接続部分の下縁は、互いに独立している。このため、右基礎部が左カップ部に接続されていると仮定した構成と比較して、左カップ部を左方に押し付ける力が低減され、右カップ部を右方に押し付ける力が低減される。このため、右肩および左肩が後方に移動したとき、カップ部の保持力が低下することを抑制できる。
【００１１】
（３）本手段の一形態は、「前記左カップ接続部分および前記右カップ接続部分は、前記左カップ部の中央縁の上端よりも上方、かつ前記右カップ部の中央縁の上端よりも上方において互いに接続されている女性用カップ付き衣類」を含む。
【００１２】
上記左カップ接続部分および右カップ接続部分は、左カップ部の右側の上端よりも上方、かつ右カップ部の左側の上端よりも上方において互いに接続されている。このため、左カップ接続部および右カップ接続部分は、右の乳房および左の乳房の間の部分、すなわち前中心を覆う部分の面積が上方に大きくなる。このため、左カップ接続部分および右カップ接続部分の端部により右乳房の左側および左乳房の右側が保持されるため、フィット感が向上する。
【００１３】
（４）本手段の一形態は、「前記右カップ側部分は、着用者の正面と対応し、前記右背面部分は、着用者の背面中心と対応し、前記左カップ側部分は、着用者の正面と対応し、前記左背面部分は、着用者の背面中心と対応する」を含む。
【００１４】
上記右背面接続部は、背面の右半分の全体において右基礎部の上縁と重なる。上記左背面接続部は、背面の左半分の全体において左基礎部の上縁と重なる。このため、背面の全体の段差を抑制することができる。
【発明の効果】
【００１５】
本ブラジャーは、美感の低下を抑制できる。
【図面の簡単な説明】
【００１６】
【図１】実施形態のブラジャーの正面構造を示す正面図。
【図２】実施形態のブラジャーについて、着用者が着用した状態において着用者の正面側からのブラジャーの正面構造を示す正面図。
【図３】実施形態のブラジャーについて、着用者が着用した状態において着用者の背面側からのブラジャーの正面構造を示す正面図。
【図４】実施形態のブラジャーについて、（ａ）は着用者が着用した状態における左背面接続部分の状態を示す正面図、（ｂ）は着用者が（ａ）の状態から右肩を前方かつ上方に移動させたときの左背面接続部分の状態を示す正面図。
【図５】実施形態のブラジャーについて、（ａ）は着用者が着用した状態における右基礎部および左基礎部の状態を示す正面図、（ｂ）は着用者が（ａ）の状態から左肩を前方に移動させたときの右基礎部および左基礎部の状態を示す正面図。
【発明を実施するための形態】
【００１７】
身体の方向に関する用語として以下の用語を定義する。
・「上方」は、足から頭に向かう方向を示す。
・「下方」は、頭から足に向かう方向を示す。
・「中心側」は、幅方向における身体の中心側を示す。
・「脇側」は、幅方向における身体の中心側とは反対側を示す。
【００１８】
生地に関する用語として以下の用語を定義する。
・「裏側」は、生地における身体の表面と対向する側を示す。
・「表側」は、生地における裏側とは反対側を示す。
【００１９】
図１に示されるように、女性用カップ付き衣類としてのブラジャー１は、右カップ部１０、左カップ部２０、右基礎部３０、左基礎部４０、右背面接続部分５０、左背面接続部分６０、右肩吊部７０、左肩吊部８０、右カップ被覆部９０、および左カップ被覆部１００を有する。
【００２０】
ブラジャー１に関する用語として、右基礎部３０および左基礎部４０を展開した状態のブラジャー１において、以下の用語を定義する。
・「右方」は、左カップ部２０から右カップ部１０に向かう方向を示す。
・「左方」は、右カップ部１０から左カップ部２０に向かう方向を示す。
【００２１】
右カップ部１０は、下縁１１、脇縁１２、および中央縁１３を有する。右カップ部１０は、右側の乳房を包む。右カップ部１０は、クッション生地により形成されている。下縁１１は、右カップ部１０のうちの下方の縁を形成している。脇縁１２は、右カップ部１０のうちの脇側の縁を形成している。中央縁１３は、右カップ部１０のうちの中心側の縁を形成している。下縁１１、脇縁１２、および中央縁１３は、連続して上方が開口した半円形状を形成している。
【００２２】
左カップ部２０は、下縁２１、脇縁２２、および中央縁２３を有する。左カップ部２０は、左側の乳房を包む。左カップ部２０は、クッション生地により形成されている。下縁２１は、左カップ部２０のうちの下方の縁を形成している。脇縁２２は、左カップ部２０のうちの脇側の縁を形成している。中央縁２３は、左カップ部２０のうちの中心側の縁を形成している。下縁２１、脇縁２２、および中央縁２３は、連続して上方が開口した半円形状を形成している。
【００２３】
右カップ被覆部９０は、右カップ部１０の表側を覆っている。右カップ被覆部９０は、右基礎部３０、右肩吊部７０、および右カップ部１０の下縁１１を接続している。左カップ被覆部１００は、左カップ部２０の表側を覆っている。左カップ被覆部１００は、左基礎部４０、左肩吊部８０、および左カップ部２０の下縁２１を接続している。
【００２４】
右肩吊部７０は、右カップ被覆部９０を介して右カップ部１０と右背面接続部分５０とを接続する。図２に示されるように、右肩吊部７０は、右カップ部１０の上方に延伸され、右カップ被覆部９０を介して右カップ部１０を右肩から吊り下げる。
【００２５】
左肩吊部８０は、左カップ被覆部１００を介して左カップ部２０と左背面接続部分６０とを接続する。図２に示されるように、左肩吊部８０は、左カップ部２０の上方に延伸され、左カップ被覆部１００を介して左カップ部２０を左肩から吊り下げる。
【００２６】
図１〜図３を参照して、右基礎部３０および左基礎部４０について説明する。
図２に示されるように、右基礎部３０は、右カップ側部分３１、左カップ接続部分３２、右背面部分３３、接続端部３４、フック３４Ａ、ワイヤー３５、およびボーン３６を有する。
【００２７】
右カップ側部分３１は、右カップ縁３１Ａを有する。右カップ側部分３１は、右カップ部１０を下方、脇側、および中心側から保持する。右カップ縁３１Ａは、下縁１１、脇縁１２、および中央縁１３と対応する形状を有する。右カップ縁３１Ａは、下縁１１、脇縁１２、および中央縁１３に接続されている。
【００２８】
左カップ接続部分３２は、右カップ側部分３１の左方の端部として形成される。左カップ接続部分３２は、下縁３２Ａおよび上端部３２Ｂを有する。左カップ接続部分３２は、左カップ部２０の中央縁２３に接続されている。
【００２９】
図１に示されるように、右背面部分３３は、右カップ側部分３１の右方の端部に接続されている。右背面部分３３は、右カップ側部分３１から右方に向かって延びる。右背面部分３３は、右カップ側部分３１とは反対側の接続端部３４に、フック３４Ａを有する。
【００３０】
ワイヤー３５は、下縁１１、脇縁１２、および中央縁１３に沿う形状を有する。ワイヤー３５は、下縁１１、脇縁１２、および中央縁１３に沿って取り付けられている。ワイヤー３５は、右基礎部３０の乳房の位置を保持する力（以下、「保持力」）を大きくする。
【００３１】
ボーン３６は、右カップ側部分３１の右方の端部に配置されている。ボーン３６は、着用者Ｘの正面と背面の境界としての脇部よりも乳房側に対応する部分において体軸に沿って配置されている。ボーン３６は、着用者Ｘに対する右基礎部３０の位置をずれにくくする。
【００３２】
図２に示されるように、左基礎部４０は、左カップ側部分４１、右カップ接続部分４２、左背面部分４３、接続端部４４、フック受部４４Ａ、ワイヤー４５、およびボーン４６を有する。
【００３３】
左カップ側部分４１は、左カップ縁４１Ａを有する。左カップ側部分４１は、左カップ部２０を下方、脇側、および中心側から保持する。左カップ縁４１Ａは、下縁２１、脇縁２２、および中央縁２３と対応する形状を有する。左カップ縁４１Ａは、下縁２１、脇縁２２、および中央縁２３に接続されている。
【００３４】
右カップ接続部分４２は、左カップ側部分４１の右方の端部として形成される。右カップ接続部分４２は、下縁４２Ａおよび上端部４２Ｂを有する。右カップ接続部分４２は、右カップ部１０の中央縁１３に接続されている。
【００３５】
左カップ接続部分３２の上端部３２Ｂは、左カップ部２０の右側の上端よりも上方に位置している。右カップ接続部分４２の上端部４２Ｂは、右カップ部１０の左側の上端よりも上方に位置している。上端部３２Ｂおよび上端部４２Ｂは、互いに接続されている。左カップ接続部分３２の下縁３２Ａおよび右カップ接続部分４２の下縁４２Ａは、互いに独立している。このため、左カップ接続部分３２および右カップ接続部分４２は、上端部３２Ｂ，４２Ｂ以外の部分において互いに独立して動くことができる。
【００３６】
図１に示されるように、左背面部分４３は、左カップ側部分４１の左方の端部に接続されている。左背面部分４３は、左カップ側部分４１から左方に向かって延びる。左背面部分４３は、左カップ側部分４１とは反対側の接続端部４４にフック受部４４Ａを有する。
【００３７】
ワイヤー４５は、下縁２１、脇縁２２、および中央縁２３に沿う形状を有する。ワイヤー４５は、下縁２１、脇縁２２、および中央縁２３に沿って取り付けられている。ワイヤー４５は、左基礎部４０の乳房に対する保持力を大きくする。
【００３８】
ボーン４６は、左カップ側部分４１の左方の端部に配置されている。ボーン４６は、着用者Ｘの正面と背面の境界としての脇部よりも乳房側に対応する部分において体軸に沿って配置されている。ボーン４６は、着用者Ｘに対する左基礎部４０の位置をずれにくくする。
【００３９】
図３に示されるように、ブラジャー１を着用者Ｘが着用するとき、フック３４Ａおよびフック受部４４Ａは、互いに連結される。これにより、右基礎部３０および左基礎部４０は、着用者Ｘの身体の外周を締め付ける。
【００４０】
図１を参照して、右背面接続部分５０および左背面接続部分６０について説明する。
右背面接続部分５０は、下縁５１、上縁５２、カップ側端部５３、およびフック側端部５４を有する。右背面接続部分５０は、三角形状を有する。右背面接続部分５０は、右背面部分３３の上縁３３Ａの表側に重なっている。
【００４１】
カップ側端部５３は、右カップ側部分３１の脇側の端部と接続されている。
フック側端部５４は、右背面部分３３の接続端部３４と接続されている。
上縁５２は、第１上縁部分５２Ａおよび第２上縁部分５２Ｂを有する。第１上縁部分５２Ａは、右肩吊部７０からフック側端部５４まで連続して形成されている。第２上縁部分５２Ｂは、右肩吊部７０からカップ側端部５３まで連続して形成されている。下縁５１および上縁５２は、右背面部分３３から独立している。このため、右背面接続部分５０は、カップ側端部５３からフック側端部５４までの部分において、右背面部分３３に対して独立して動くことができる。
【００４２】
左背面接続部分６０は、下縁６１、上縁６２、カップ側端部６３、およびフック側端部６４を有する。左背面接続部分６０は、三角形状を有する。左背面接続部分６０は、左背面部分４３の上縁４３Ａの表側に重なっている。
【００４３】
カップ側端部６３は、左カップ側部分４１の左方の端部と接続されている。
フック側端部６４は、左背面部分４３の接続端部４４と接続されている。
上縁６２は、第１上縁部分６２Ａおよび第２上縁部分６２Ｂを有する。第１上縁部分６２Ａは、左肩吊部８０からフック側端部６４まで連続して形成されている。第２上縁部分６２Ｂは、左肩吊部８０からカップ側端部６３まで連続して形成されている。下縁６１および上縁６２は、左背面部分４３から独立している。このため、左背面接続部分６０は、カップ側端部６３からフック側端部６４までの部分において、左背面部分４３に対して独立して動くことができる。
【００４４】
右背面接続部分５０および左背面接続部分６０の第１の作用について説明する。
図３に示されるように、右背面接続部分５０および左背面接続部分６０は、着用者Ｘの背面において、上縁３３Ａ，４３Ａに重なっている。このため、右基礎部３０および左基礎部４０の身体の締め付けにより上縁３３Ａ，４３Ａに段差が生じることを抑制できる。また、右背面接続部分５０および左背面接続部分６０は、右背面部分３３および左背面部分４３の表側に配置されている。このため、上縁３３Ａ，４３Ａに生じる段差を目立ちにくくする。
【００４５】
図４を参照して、左背面接続部分６０の第２の作用について説明する。なお、右背面接続部分５０についても左背面接続部分６０と同様の作用を有するため、右背面接続部分５０についての説明は省略する。
【００４６】
着用者Ｘの肩周りが動くとき、左背面接続部分６０は、肩の動きにともなって引っ張られる。例えば、右肩を前方かつ上方に移動させる動作を行うとき、左背面接続部分６０は、筋肉および骨の動きにともなって、図４（ａ）の状態から、図４（ｂ）の状態に変化する。このとき、左背面部分４３と左背面接続部分６０とが一体的に動く仮想のブラジャーにおいては、左背面部分４３が左背面接続部分６０に引っ張られる。左背面部分４３、すなわち左基礎部４０の着用者Ｘに対する位置がずれるとき、左カップ部２０と乳房との位置がずれる。このため、乳房の保持力が低下する。
【００４７】
ここで、左背面接続部分６０は、カップ側端部６３からフック側端部６４までの部分において、左背面部分４３に対して独立している。このため、左背面部分４３が左背面接続部分６０に引っ張られることが抑制される。このため、ブラジャー１は乳房の保持力の低下を抑制することができる。
【００４８】
また、カップ側端部６３は、左カップ部２０よりも左方に位置する。すなわち、左背面接続部分６０は、左カップ部２０と直接的に接続されていない。このため、カップ側端部６３が左カップ部２０に直接的に接続される仮定の構成と比較して、着用者Ｘの肩周りが動くとき、左背面接続部分６０が左カップ部２０を引っ張ることが抑制される。このため、左基礎部４０による左カップ部２０の保持力が左背面接続部分６０により低減されることをさらに抑制できる。
【００４９】
他方、左背面部分４３と左背面接続部分６０とが一体的に動く仮想のブラジャーにおいては、肩周りの動きを左基礎部４０が阻害する。このため、着用者Ｘは、肩周りを動かしにくい。背面接続部分６０は、カップ側端部６３からフック側端部６４までの部分において、左背面部分４３に対して独立している。このため、左基礎部４０が肩周りの動きを阻害することが抑制される。このため、左背面接続部分６０の肩周りの動きに対する追従性が高まる。このため、ブラジャー１の着用感が向上する。
【００５０】
図５を参照して、左カップ接続部分３２および右カップ接続部分４２の作用について説明する。
着用者Ｘの腕および体幹が動くとき、基礎部３０，４０は着用者Ｘの動きにともなって引っ張られる。例えば、腕振り動作等により左肩を前方に移動させる動作を行うとき、左基礎部４０は、筋肉および骨の動きにともなって、右方に移動する。このとき、左カップ接続部分３２および右カップ接続部分４２が一体的に動く仮想のブラジャーにおいては、右カップ部１０が左カップ接続部分３２により右方に押し付けられる。このため、右カップ部１０と乳房との位置がずれる。このため、乳房の保持力が低下する。一方、左カップ部２０の動きは、右カップ部１０および左カップ接続部分３２により阻害される。このため、左カップ部２０と乳房との位置がずれる。このため、乳房の保持力が低下する。
【００５１】
左カップ接続部分３２の下縁３２Ａおよび右カップ接続部分４２の下縁４２Ａは、独立している。このため、例えば、左肩を前方に移動させる動作を行うとき、左基礎部４０は、筋肉および骨の動きにともなって、図５（ａ）の状態から、図５（ｂ）の状態に変化する。
【００５２】
このとき、左カップ接続部分３２の下縁３２Ａおよび右カップ接続部分４２の下縁４２Ａは、互いに自由に動くことができる。このため、左基礎部４０および左カップ部２０から右カップ部１０に作用する力が低減する。このため、右カップ部１０と乳房との位置がずれにくい。このため、乳房の保持力が低下することを抑制できる。
【００５３】
また、例えば、左肩を前方に移動させる動作を行うとき、左の乳房は左肩の動作にともなって図５（ａ）の状態から、図５（ｂ）の状態のように内側に移動する。このとき、左カップ部２０は、右カップ部１０と各別に動くことができる。このため、左カップ部２０の動きが右カップ部１０から阻害され難いため、左カップ部２０は左の乳房の移動に追従しやすくなる。このため、左カップ部２０と左の乳房との位置がずれにくい。このため、乳房の保持力が低下することを抑制できる。
【００５４】
例えば、腕振り動作等により左肩を後方に移動させる動作を行うとき、左基礎部４０は、筋肉および骨の動きにともなって、左方に移動する。このとき、左カップ部２０は、左基礎部４０により左方に引っ張られる。
【００５５】
右基礎部３０および左基礎部４０が一体的な基礎部として形成されている仮想のブラジャーにおいては、右カップ部１０は、基礎部の移動にともなって左方に引っ張られる。このため、右カップ部１０および左カップ部２０と乳房との位置がずれる。
【００５６】
左カップ接続部分３２の下縁３２Ａおよび右カップ接続部分４２の下縁４２Ａは、独立している。このため、右カップ部１０が左基礎部４０の移動にともなって左方に移動しにくい。左カップ部２０は、左カップ接続部分３２を介して右カップ部１０と接続されている。このため、右カップ部１０は、左肩を後方に移動させる動作を行うとき、左カップ部２０の左方への移動を抑制する。このため、左カップ部２０が過度に左方に移動することが抑制される。このため、左カップ部２０が、過度に左方に移動することにより左カップ部２０と左の乳房との位置がずれることが抑制される。このため、乳房の保持力が低下することを抑制できる。
【００５７】
ブラジャー１は、以下の効果を奏する。
（１）右背面接続部分５０は、右背面部分３３から右カップ側部分３１までの上縁３３Ａと重なっている。また、左背面接続部分６０は、左背面部分４３から左カップ側部分４１までの上縁４３Ａと重なっている。このため、右基礎部３０および左基礎部４０の締め付けにより形成される着用者Ｘの段差が右背面接続部分５０および左背面接続部分６０により軽減される。このため、着用感および美感の低下が抑制される。
【００５８】
（２）右背面接続部分５０は、右背面部分３３と右カップ側部分３１との間において右基礎部３０から独立している。左背面接続部分６０は、左背面部分４３と左カップ側部分４１との間において左基礎部４０から独立している。このため、右背面接続部分５０は、右背面部分３３と右カップ側部分３１との間において、右基礎部３０から自由に動くことができる。左背面接続部分６０は、左背面部分４３と左カップ側部分４１との間において、左基礎部４０から自由に動くことができる。このため、着用者Ｘの肩周りが動くとき、右背面接続部分５０および左背面接続部分６０は、着用者Ｘの動作に合わせて動きやすい。一方、右基礎部３０および左基礎部４０は、右背面接続部分５０および左背面接続部分６０の動きの影響を受け難い。このため、右背面接続部分５０および左背面接続部分６０により着用者Ｘの追従性を高めることと、右基礎部３０および左基礎部４０によるカップ部１０，２０の保持力を高めることとを両立することができる。
【００５９】
（３）カップ側端部５３は、右カップ部１０よりも右方に位置する。カップ側端部６３は、左カップ部２０よりも左方に位置する。このため、右背面接続部分５０および左背面接続部分６０が直接的に右カップ部１０および左カップ部２０に接続される仮定の構成と比較して、着用者Ｘの肩周りが動くとき、右背面接続部分５０および左背面接続部分６０が右カップ部１０および左カップ部２０を引っ張り難い。このため、右基礎部３０および左基礎部４０によるカップ部１０，２０の保持力が右背面接続部分５０および左背面接続部分６０により低減されることを抑制できる。
【００６０】
（４）右カップ部１０および左カップ部２０は、左カップ接続部分３２および右カップ接続部分４２と接続されている。左カップ接続部分３２の下縁３２Ａおよび右カップ接続部分４２の下縁４２Ａは、互いに独立している。このため、右基礎部３０が左カップ部２０に接続されている仮定の構成、および右基礎部３０および左基礎部４０が一体的に形成されている仮定の構成と比較して、右肩および左肩が前方に移動したとき、左カップ部２０を左方に押し付ける力が低減され、右カップ部１０を右方に押し付ける力が低減される。このため、右肩および左肩が前方に移動したとき、カップ部１０，２０の保持力が低下することを抑制できる。
【００６１】
また、右基礎部３０が左カップ部２０に接続されている仮定の構成、および右基礎部３０および左基礎部４０が一体的に形成されている仮定の構成と比較して、右肩および左肩が後方に移動したとき、右カップ部１０を右方に引っ張る力が低減され、左カップ部２０を左方に引っ張る力が低減される。このため、右肩および左肩が後方に移動したとき、カップ部１０，２０の保持力が低下することを抑制できる。
【００６２】
（５）左カップ接続部分３２の上端部３２Ｂおよび右カップ接続部分４２の上端部４２Ｂは、左カップ部２０の右側の上端よりも上方、かつ右カップ部１０の左側の上端よりも上方において互いに接続されている。このため、左カップ接続部分３２および右カップ接続部分４２は、右の乳房および左の乳房の間の部分、すなわち前中心を覆う部分の面積が上方に大きくなる。このため、左カップ接続部分３２および右カップ接続部分４２の端部により右乳房の左側および左乳房の右側が保持されるため、フィット感が向上する。
【００６３】
（６）左カップ接続部分３２および右カップ接続部分４２は、下方の部分の幅よりも上方の部分の幅が小さい。このため、左カップ接続部分３２および右カップ接続部分４２は、右の乳房と左の乳房との間の部分の形状に沿う。このため、フィット感が向上する。
【００６４】
（７）カップ側端部５３は、脇部よりも乳房側に位置する。このため、右背面接続部分５０は、背面の右半分の全体において右背面部分３３の上縁３３Ａと重なる。カップ側端部６３は、脇部よりも乳房側に位置する。このため、左背面接続部分６０は、背面の左半分の全体において左背面部分４３の上縁４３Ａと重なる。このため、ブラジャー１は、背面の全体にわたり上縁３３Ａ，４３Ａにより生じる段差を抑制することができる。
【００６５】
（その他の実施形態）
本ブラジャーは、上記実施形態以外の実施形態を含む。以下、本ブラジャーのその他の実施形態としての上記実施形態の変形例を示す。なお、以下の各変形例は、互いに組み合わせることができる。
【００６６】
・実施形態のブラジャー１は、背面接続部分５０，６０が、背面部分３３，４３の表側に配置されている。ただし、ブラジャー１の構成はこれに限られない。例えば、変形例のブラジャー１は、背面接続部分５０，６０が、背面部分３３，４３の裏側に配置されている。この場合、背面接続部分５０，６０の緊締力が着用者Ｘの背面接続部分５０，６０と対向する部分を押さえるため、上縁３３Ａ，４３Ａの部分に生じる身体の段差が抑制される。
【００６７】
・実施形態のブラジャー１は、カップ被覆部９０，１００を有する。ただし、ブラジャー１の構成はこれに限られない。例えば、変形例のブラジャー１は、カップ被覆部９０，１００を省略している。この変形例の肩吊部７０，８０は、カップ部１０，２０と直接的に接続される。
【００６８】
・実施形態のブラジャー１は、右基礎部３０および左基礎部４０が別体に形成されている。ただし、ブラジャー１の構成はこれに限られない。例えば、変形例のブラジャー１は、右基礎部３０および左基礎部４０が一体的に形成されている。
【００６９】
・実施形態の左カップ接続部分３２および右カップ接続部分４２は、左カップ部２０の右側の上端よりも上方、かつ右カップ部１０の左側の上端よりも上方において互いに接続されている。ただし、ブラジャー１の構成はこれに限られない。例えば、変形例の左カップ接続部分３２および右カップ接続部分４２は、左カップ部２０の右側の上端および右カップ部１０の左側の上端と同じ高さにおいて互いに接続されている。
【００７０】
・上記実施形態は、女性用カップ付き衣類としてブラジャー１を例示したが、他の女性用カップ付き衣類、例えば、ボディーシェイパー、ボディースーツ、およびカップ付きインナー等に適用することもできる。
【符号の説明】
【００７１】
１…ブラジャー、１０…右カップ部、１１…下縁、１２…脇縁、１３…中央縁、２０…左カップ部、２１…下縁、２２…脇縁、２３…中央縁、３０…右基礎部、３１…右カップ側部分、３１Ａ…右カップ縁、３２…左カップ接続部分、３２Ａ…下縁、３２Ｂ…上端部、３３…右背面部分、３３Ａ…上縁、３４…接続端部（右端部）、３４Ａ…フック（接続構造）、３５…ワイヤー、３６…ボーン、４０…左基礎部、４１…左カップ側部分、４１Ａ…左カップ縁、４２…右カップ接続部分、４２Ａ…下縁、４２Ｂ…上端部、４３…左背面部分、４３Ａ…上縁、４４…接続端部（左端部）、４４Ａ…フック受部（接続構造）、４５…ワイヤー、４６…ボーン、５０…右背面接続部分、５１…下縁、５２…上縁、５２Ａ…第１上縁部分、５２Ｂ…第２上縁部分、５３…カップ側端部、５４…フック側端部、６０…左背面接続部分、６１…下縁、６２…上縁、６２Ａ…第１上縁部分、６２Ｂ…第２上縁部分、６３…カップ側端部、６４…フック側端部、７０…右肩吊部、８０…左肩吊部、９０…右カップ被覆部、１００…左カップ被覆部。
【要約】
【課題】着用感および美感の低下を抑制できる女性用カップ付き衣類を提供する。
【解決手段】ブラジャー１は、右カップ部１０、左カップ部２０、右基礎部３０、左基礎部４０、右肩吊部７０、左肩吊部８０、右背面接続部分５０、左背面接続部分６０を有する。右背面接続部分５０の下端部は、右基礎部３０の右背面部分３３の上縁３３Ａと重なる。右背面接続部分５０は、接続端部３４と右カップ側部分３１と接続される部分の間において右背面部分３３から独立している。左背面接続部分６０の下端部は、左基礎部４０の左背面部分４３の上縁４３Ａと重なる。左背面接続部分６０は、接続端部４４と左カップ側部分４１と接続される部分の間において左背面部分４３から独立している。
【選択図】図１【図１】
0005545903.tif 000002
【図２】
0005545903.tif 000003
【図３】
0005545903.tif 000004
【図４】
0005545903.tif 000005
【図５】
0005545903.tif 000006